(57)【要約】【課題】構造を簡略化できるとともに保守・点検が容易に行え、かつ、車体の余剰空間を有効利用できる電子ユニットの配置構造を提供する。【解決手段】メータユニット１３の背面１３Ａ側に設けられた電子ユニット収納箱１７Ａ内に機能別に分けられた複数の電子ユニットボード１７Ｂを収納した。また、メータユニット１３の上部を覆うダッシュボード１４の上面にサービスホール２１を形成し、サービスホール２１を介して各電子ユニットボード１７Ｂを脱着自在に取り付けた。【選択図】  図１
2004155317.tif 000002
【特許請求の範囲】
【請求項１】
自動車のメータユニットの背面側に設けられた電子ユニット収納箱内に機能別に分けられた複数の電子ユニットボードを収納したことを特徴とする電子ユニットの配置構造。
【請求項２】
前記メータユニットの上部を覆うダッシュボードの上面にサービスホールを形成し、前記サービスホールを介して前記各電子ユニットボードを脱着自在に取り付けたことを特徴とする請求項１記載の電子ユニットの配置構造。
【発明の詳細な説明】
【０００１】
【発明の属する技術分野】
本発明は、電子ユニット収納箱の積載構造に関する。
【０００２】
【従来の技術】
従来、自動車において、自動車の使用者が自ら保守・点検を行うヒューズボックス等は、保守・点検を容易に行えるようにハンドル近傍に配置されることが多い。
一方、自動車に搭載される各種電子装置を制御する電子ユニット（ＥＣＵ：Ｅｌｅｃｔｒｏｎｉｃ  Ｃｏｎｔｒｏｌ  Ｕｎｉｔ）は、主にディーラーが保守・点検を行うため、車体の余剰空間、例えば助手席の下側やトランクルーム等に配置されることが多い。
【０００３】
このような電子ユニットは、例えば空気調和機を制御することにより、ダッシュパネルに設けられた吹出口から空気調和機から吹き出す空気の温度・風量・風向等を調整する（特許文献１）。
【０００４】
【特許文献１】
特開平６−２７０６６１号公報
【０００５】
【発明が解決しようとする課題】
しかしながら、電子ユニットを例えば助手席の下側やトランクルーム等に配置すると、電子ユニットと空気調和機とを接続するための長いワイヤーハーネスが必要になるとともに、保守・点検に手間が掛かるという不都合がある。
また、近年の自動車には、車体の余剰空間を有効利用することが求められていて、前述した電子ユニットの配置個所にも改善が求められている。
【０００６】
そこで、本発明の目的は上記課題を解消することであり、構造を簡略化できるとともに保守・点検が容易に行え、かつ、車体の余剰空間を有効利用できる電子ユニットの配置構造を提供することにある。
【０００７】
【課題を解決するための手段】
ところで、近年、自動車のダッシュパネル内に配置されるメータユニットは、各種表示をアナログ指針表示するためのムーブメントの小型化や、あるいは各種表示をデジタル表示するための液晶表示装置の採用等により薄型化が進んでいる。
【０００８】
本発明者らは、従来よりダッシュパネル裏側に形成され、かつ、見過ごされていた余剰空間がメータユニットの薄型化に伴って現実的に利用し得る空間となりつつあることに着目し、本発明に至った。
【０００９】
そして、本発明は、請求項１に記載したように、自動車のメータユニットの背面側に設けられた電子ユニット収納箱内に機能別に分けられた複数の電子ユニットボードを収納したことを特徴とする。
【００１０】
このような本発明においては、電子ユニットが自動車のメータユニットの背面側に配置されるため、例えば空気調和機に接続するためのワイヤーハーネスを従来に比較して短くできるとともに、例えばメータユニットをダッシュパネルから脱着すれば電子ユニットが外部露出するため、例えば電子ユニットボードの交換等の保守・点検を容易に行えることになる。
そして、この本発明においては、従来から看過されていたメータユニットの背面側の余剰空間を活用することにより、車体の空間効率が向上することになる。
【００１１】
また、本発明は、請求項２に記載したように、前記メータユニットの上部を覆うダッシュボードの上面にサービスホールを形成し、前記サービスホールを介して前記各電子ユニットボードを脱着自在に取り付けたことを特徴とする。
このような本発明においては、ダッシュボードの上面に形成したサービスホールを介して各電子ユニットボードを脱着自在であるため、メータユニットをダッシュパネルから脱着することなく電子ユニットの補修・点検を行えることになり、良好な作業性が得られることになる。
【００１２】
【発明の実施の形態】
以下、本発明に係る電子ユニットの配置構造の実施形態について、図面を参照して詳細に説明する。
図１には、本発明の実施形態である電子ユニットの配置構造１０が示されている。
【００１３】
図１において、自動車の車体を横断するようにリーンフォース１１が配置されているとともに、ステアリングシャフト１２，メータユニット１３，ダッシュパネル１４がリーンフォース１１に支持されている。
ステアリングシャフト１２には、ステアリングコラム１４が軸通されているとともに、端部にステアリングホイール１５が固定されている。また、メータユニット１３の下方にはステアリングシャフト１２に沿って電気接続箱１６が配置されている。
メータユニット１３は、デジタル表示する液晶表示装置や、あるいはアナログ指針表示するための小型のムーブメントを採用することにより、従来に比較して薄型化されている。そして、このようなメータユニット１３の背面１３Ａ側と、リーンフォース１１との間に電子ユニット１７が配置されている。
【００１４】
電子ユニット１７は、電子ユニット収納箱１７Ａと、電子ユニット収納箱１７Ａに収納される複数の電子ユニットボード１７Ｂとを備えている。
電子ユニット収納箱１７Ａは、メータユニット１３の背面１３Ａ側に向けて開口する直方体形状とされている。この電子ユニット収納箱１７Ａは、当該電子ユニット収納箱１７Ａとメータユニット１３の背面１３Ａとの間を作業者の手および電子ユニットボード１７Ｂが通過できるように配置されている。また、各電子ユニットボード１７Ｂは、それぞれ機能別に分けられていて、電子ユニット収納箱１７Ａに対して個別に交換可能となっている。
【００１５】
さらに、図２にも示すように、ダッシュパネル１４の内側には、空気調和機の空調ダクト１８（１８Ａ，１８Ｂ）と、電子ユニット１７を介して空気調和機を操作する操作パネル１９とが収容される。
一方、ダッシュパネル１４の外側には、メータユニット１３および種々の情報を表示できる液晶表示パネル（図示せず）の周囲を覆う意匠パネル２０が取り付けられる。
これらのメータユニット１３，ステアリングコラム１４，電気接続箱１６，電子ユニット１７および液晶表示パネルは互いに電気的に接続されている。
【００１６】
そして、図３に示すように、ダッシュパネル１４は、その上部が部分的に脱着されるような蓋部１４Ａを有している。
蓋部１４Ａは、ダクト１８を構成する一部のダクト１８Ａをダクト１８Ｂ，１８Ｂから分断させて当該蓋部１４Ａと一体的にダッシュパネル１４から取り外し可能となっている。従って、蓋部１４Ａが取り外された後にあらわれる開口は、メータユニットの背面１３Ａ側が外部露出するようなサービスホール２１となる。
【００１７】
以上のような実施形態において、電子ユニット１３の保守・点検を行う場合には、ダッシュパネル１４から蓋部１４Ａを取り外し、ダッシュパネル１４における上部のサービスホール２１を通じて電子ユニット収納箱１７Ａに収納される複数の電子ユニットボード１７Ｂを脱着する。
この際、メータユニット１３の背面１３Ａ側が外部露出するようにサービスホール２１が設けられているため、電子ユニット１７の保守・点検にあたってメータユニット１３を脱着する必要はない。
【００１８】
このような実施形態によれば、電子ユニット１７がメータユニット１３の背面１３Ａ側に配置されるため、メータユニット１３，ステアリングコラム１４，電気接続箱１６および表示パネルに接続するためのワイヤーハーネスを従来に比較して短くできるとともに、従来から看過されていたメータユニット１３の背面１３Ａ側の余剰空間を有効活用することにより、車体の空間効率が向上する。
【００１９】
また、この実施形態によれば、ダッシュボード１４の上面に形成したサービスホール１３を介して各電子ユニットボード１７Ｂを電子ユニット収納箱１７Ａに対して脱着自在であるため、メータユニット１３をダッシュパネル１４から脱着することなく電子ユニット１７の補修・点検を行えることになり、良好な作業性が得られる。
【００２０】
なお、本発明は、前述した実施形態に限定されるものでなく、適宜な変形，改良等が可能である。
その他、前述した実施形態において例示したメータユニット，電子ユニット収納箱，電子ユニットボード，ダッシュボード，サービスホール等の材質，形状，寸法，形態，数，配置個所等は本発明を達成できるものであれば任意であり、限定されない。
【００２１】
【発明の効果】
以上説明したように、本発明によれば、請求項１に記載したように、電子ユニットが自動車のメータユニットの背面側に配置されるため、例えば空気調和機に接続するためのワイヤーハーネスを従来に比較して短くできるとともに、例えばメータユニットをダッシュパネルから脱着すれば電子ユニットが外部露出するため、例えば電子ユニットボードの交換等の保守・点検を容易に行え、かつ、従来から看過されていたメータユニットの背面側の余剰空間を活用することにより、車体の空間効率が向上する。
【００２２】
また、本発明によれば、請求項２に記載したように、ダッシュボードの上面に形成したサービスホールを介して各電子ユニットボードを脱着自在であるため、メータユニットをダッシュパネルから脱着することなく電子ユニットの補修・点検を行えることになり、良好な作業性が得られることになる。
【図面の簡単な説明】
【図１】本発明に係る実施形態を示す断面図である。
【図２】本発明に係る実施形態を示す分解模式斜視図である。
【図３】ダッシュパネルから蓋部を取り外した状態を示す断面図である。
【符号の説明】
１０  電子ユニットの配置構造
１３  メータユニット
１７  電子ユニット
１７Ａ  電子ユニット収納箱
１７Ｂ  電子ユニットボード
１４  ダッシュボード
２１  サービスホール
【図１】
2004155317.tif 000003
【図２】
2004155317.tif 000004
【図３】
2004155317.tif 000005